(57)【要約】      （修正有）【課題】陰茎と陰嚢が接触することのない男性用下着を提供する。【解決手段】男性用下着は、臀部および脇部を覆う下着本体部１と、腰ゴム部２と、陰茎部及び陰嚢を収納する収納部とが縫合された男性用下着である。収納部は、陰茎部を挿入する開口部４を有する第１生地部３と、第１生地部３よりも外周に配され、開口部４に挿入された陰茎部を覆う第２生地部５と、第１生地部３と縫合され、陰嚢を覆う第３生地部６と、を有する。【選択図】図１
0003215162.tif 000002
【実用新案登録請求の範囲】
【請求項１】
臀部および脇部を覆う下着本体部と、腰ゴム部と、陰茎部及び陰嚢を収納する収納部とが縫合された男性用下着であって、
前記収納部は、
前記陰茎部を挿入する開口部を有する第１生地部と、
前記第１生地部よりも外周に配され、前記開口部に挿入された陰茎部を覆う第２生地部と、
前記第１生地部と縫合され、前記陰嚢を覆う第３生地部と、
を有する
ことを特徴とする男性用下着。
【請求項２】
前記第１及び第２生地部は、前記第３生地部と異なる生地で構成される
ことを特徴とする請求項１に記載の男性用下着。
【請求項３】
前記第３生地部は、前記下着本体部と前記第１及び第２生地部よりも通気性の高い生地で構成される
ことを特徴とする請求項２に記載の男性用下着。
【考案の詳細な説明】
【技術分野】
【０００１】
本考案は、男性用下着に関する。
【背景技術】
【０００２】
特許文献１には、体型に追従して快適な着用感を得る男性用下着が開示されている。
【先行技術文献】
【特許文献】
【０００３】
【特許文献１】特開２０１６−１１７９６８号公報
【考案の概要】
【考案が解決しようとする課題】
【０００４】
しかしながら、特許文献１に記載の男性用下着においては、陰茎と陰嚢が接することによる蒸れを防止することが難しいという不利益がある。
【０００５】
本考案は、陰茎と陰嚢が接触することのない男性用下着を提供する。
【課題を解決するための手段】
【０００６】
本考案の男性用下着は、臀部および脇部を覆う下着本体部と、腰ゴム部と、陰茎部及び陰嚢を収納する収納部とが縫合された男性用下着であって、前記収納部は、前記陰茎部を挿入する開口部を有する第１生地部と、前記第１生地部よりも外周に配され、前記開口部に挿入された陰茎部を覆う第２生地部と、前記第１生地部と縫合され、前記陰嚢を覆う第３生地部と、を有する。
【０００７】
好適には、前記第１及び第２生地部は、前記第３生地部と異なる生地で構成される。
【０００８】
好適には、前記第３生地部は、前記下着本体部と前記第１及び第２生地部よりも通気性の高い生地で構成される。
【考案の効果】
【０００９】
本考案における男性用下着によって、陰茎と陰嚢が接することによる蒸れを低減することが可能となった。
【図面の簡単な説明】
【００１０】
【図１】本考案の本実施形態に係る男性用下着を示す説明図である。
【図２】本考案の本実施形態に係る男性用下着の内側を示す説明図である。
【図３】本考案の本実施形態に係る男性用下着の装着状態を示す説明図である。
【図４】本考案の第２実施形態に係る男性用下着を示す説明図である。
【考案を実施するための形態】
【００１１】
以下、本考案の実施形態を、図１〜図４を用いて詳細に説明する。
【００１２】
（第１実施形態）
図１は、本考案の本実施形態に係る男性用下着を示す説明図である。
図１（Ａ）は、男性用下着の正面から見た図であり、図１（Ｂ）は、男性用下着の側面から見た図である。
【００１３】
本実施形態に係る男性用下着は、下着本体部１と、腰ゴム部２と、第１生地部３と、開口部４と、第２生地部５と、第３生地部６と、非縫合部７、８、９とを備える。
【００１４】
下着本体部１は、臀部および脇部を覆うように構成されている。
第１生地部３と第２生地部５と第３生地部６は、装着者の陰茎部及び陰嚢部を収納する収納部として機能する。
第１生地部３は、装着者の陰茎部を挿入するための開口部４を有する。
第２生地部５は、第１生地部３よりも外周に配され、陰茎部を覆うように構成されている。
第３生地部６は、第１生地部３と縫合され、装着者の陰嚢部を覆うように構成されている。
下着本体部１と腰ゴム部２と第１生地部３と第３生地部６はそれぞれ縫合されることで下着として機能する。
非縫合部７、８、９は、第１生地部３と第２生地部５との境目であって、縫合されていない隙間である。
【００１５】
なお、本実施形態では、また、第３生地部６は、例えば、メッシュ素材等の第１生地部３と第２生地部５とは異なる生地であって、下着本体部１と第１生地部３と第２生地部５で用いられる素材よりも、通気性の高い素材を用いてよい。
また、本実施形態では、下着本体部１と腰ゴム部２と第１生地部３と第３生地部６はそれぞれ縫合されるが、これに限定することなく、例えば、複数の生地を一体に形成することで、縫合部を減らす構成としてもよい。具体的には、本実施形態では、下着本体部１と第１生地部３と第２生地部５は同じ素材であるため、これらを一体として、縫合ではない方法で、形成してもよい。
【００１６】
図２は、本考案の本実施形態に係る男性用下着の内側を示す説明図である。
【００１７】
本実施形態に係る男性用下着の内側は、下着本体部１と、腰ゴム部２と、第１生地部３と、開口部４と、第３生地部６と、とを備える。
【００１８】
装着者の肌に触れる生地部は、下着本体部１と、腰ゴム部２と、第１生地部３と、第３生地部６である。
装着者が下着を履く際に、陰茎部が開口部４に挿入され、陰嚢部が第３生地部６に触れるように下着を装着する。
【００１９】
図３は、本考案の本実施形態に係る男性用下着の装着状態を示す説明図である。
【００２０】
図３に示すように、装着者の陰茎部１０が開口部４に挿入され、陰嚢部１１が第３生地部６に接する。このように装着することで、陰茎部１０と陰嚢部１１は、互いに接触することがないため、蒸れを低減することができる。
本実施形態では、開口部４に挿入された陰茎部１０は、非縫合部９（下向き（重力）方向）へ向かせる状態になる。しかしながら、これに限定することなく、例えば、陰茎部１０を非縫合部７や８へ向かせる状態としてもよい。
【００２１】
（第２実施形態）
図４は、本考案の本実施形態に係る男性用下着を示す説明図である。第１実施形態と同様の構成については、その詳細な説明を省略する。
【００２２】
本実施形態に係る男性用下着は、下着本体部１と、腰ゴム部２と、第１生地部３と、開口部４と、第２生地部５と、第３生地部６と、非縫合部７、８、１２とを備える。
【００２３】
本実施形態では、開口部４に挿入された陰茎部１０は、非縫合部１２（上向き（重力と反対）方向）へ向かせる状態になる。もちろん、これに限定することなく、例えば、陰茎部１０を非縫合部７や８へ向かせる状態としてもよい。
【００２４】
＜実施形態の構成及び効果＞
男性用下着は、臀部および脇部を覆う下着本体部１と、腰ゴム部２と、陰茎部及び陰嚢を収納する収納部とが縫合された男性用下着であって、収納部は、陰茎部を挿入する開口部４を有する第１生地部３と、第１生地部３よりも外周に配され、開口部４に挿入された陰茎部を覆う第２生地部５と、第１生地部３と縫合され、陰嚢を覆う第３生地部６と、を有する。
このような構成を有することから、陰茎部と陰嚢との間に第３生地部６が存在するので、それぞれが接することによる蒸れを低減するという効果がある。
【００２５】
また、第１及び第２生地部３、５は、第３生地部６と異なる生地で構成される。
このような構成を有することから、陰茎部と陰嚢との間の生地をより蒸れを低減できる生地を任意に選択できるという効果がある。
【００２６】
また、第３生地部６は、下着本体部１と第１及び第２生地部３、５よりも通気性の高い生地で構成される。
このような構成を有することから、陰茎部と陰嚢との間に通気性の高い素材があることで、より蒸れを低減することができる。
【００２７】
本考案の、構造、などは、本考案の要旨を変更しない範囲で、様々に変更可能である。
例えば、２つ以上の構成部を１つにすることも可能であるし、逆に、１つの構成を２つ以上に構成して接続することも可能である。
また、上記実施形態は、あくまでも、現在のところの最良の形態の１つにすぎない。
【００２８】
＜定義等＞
本考案における開口部４は、装着者の陰茎部が挿入できる程度の大きさであってよい。
本考案における腰ゴム部２は、下着がずれないようなゴムであれば、その素材は限定しない。
本考案における下着本体部１と第１生地部３と第２生地部５は、例えば、伸縮性のある、装着者の身体にフィットするような、既知の素材であってよい。また、同じ素材であってもよく、異なる素材であってもよい。
【図１】
0003215162.tif 000003
【図２】
0003215162.tif 000004
【図３】
0003215162.tif 000005
【図４】
0003215162.tif 000006